(57)【要約】  オーバーキャップ組立体は、第１スロット、タブ、及びスプレー通路を備える作動部を含む。ノズルは、スプレー通路と流体連通している。非作動状態の間にタブを受容するためのノッチと、作動状態の間に第１スロットによって受容される第１突出部を備えるハウジングも含まれる。【選択図】図１６
2019506341.tif 000002
【特許請求の範囲】
【請求項１】
第１スロット、タブ、スプレー通路、及び前記スプレー通路と流体連通する出口を含む作動部と、
非作動状態の間に前記タブを受容するノッチと、作動状態の間に前記第１スロットによって受容される第１突出部とを備えるハウジングと、
を含むオーバーキャップ組立体。
【請求項２】
前記第１突出部は、前記ハウジングの側壁上に設けられる、請求項１に記載のオーバーキャップ組立体。
【請求項３】
前記ノッチは、前記ハウジングの前方側又は後方側上に設けられる、請求項１に記載のオーバーキャップ組立体。
【請求項４】
前記ハウジングは、前記非作動状態の間に前記ノズルを受容するためのホールを備える内壁を含む、請求項１に記載のオーバーキャップ組立体。
【請求項５】
前記ハウジングは、第２突出部を含み、
前記作動部は、第２スロットを含み、
前記第２突出部は、前記作動状態の間に前記第２スロットによって受容される、請求項１に記載のオーバーキャップ組立体。
【請求項６】
前記第１突出部は、前記ハウジングの側部に設けられ、
前記第２突出部は、前記ハウジングの反対側に設けられる、請求項５に記載のオーバーキャップ組立体。
【請求項７】
前記第１突出部は、第１頂面を含み、
前記第２突出部は、第２頂面を含み、
前記第１スロットは、前記第１頂面を受容する第１停止面を含み、
前記第２突出部は、前記第２頂面を受容する第２停止面を含む、請求項６に記載のオーバーキャップ組立体。
【請求項８】
前記ハウジングは、内壁及び外壁を含み、
前記内壁は、前記ノズルを受容するホールを含み、
前記外壁は、レーストラック形状の開口部を含む、請求項１に記載のオーバーキャップ組立体。
【請求項９】
ノズルインサートが前記ノズル内に配置される、請求項１に記載のオーバーキャップ組立体。
【請求項１０】
前記スプレー通路は、容器のバルブステムを受容するためのバルブステムの入口をさらに含む、請求項９に記載のオーバーキャップ組立体。
【請求項１１】
側壁を備えるハウジングと、
前記側壁内に設けられる吐出オリフィスと、
前記側壁から延びる第１突出部と、
前記側壁内に配置される第１ノッチと、
作動状態の間に前記第１突出部を受容する第１スロットと、非作動状態の間に前記ノッチによって受容されるタブを有する作動部と、
を含むオーバーキャップ組立体。
【請求項１２】
前記作動部は、放出管路をさらに含む、請求項１１に記載のオーバーキャップ組立体。
【請求項１３】
前記放出管路内に配置されるノズルインサートをさらに含む、請求項１２に記載のオーバーキャップ組立体。
【請求項１４】
前記側壁から延びる第２突出部をさらに含み、
前記作動部は、作動状態の間に前記第２突出部を受容する第２スロットをさらに含む、請求項１１に記載のオーバーキャップ組立体。
【請求項１５】
前記第１突出部及び第２突出部は、前記オーバーキャップ組立体の中心に向かって内側に突出する、請求項１４に記載のオーバーキャップ組立体。
【請求項１６】
前記第１突出部及び第２突出部は、前記作動部が組立の間に前記ハウジングとスライド式で係合するのを許容する傾斜した表面を含む、請求項１５に記載のオーバーキャップ組立体。
【請求項１７】
前記タブは、前記オーバーキャップ組立体の中心から半径方向に外側に延びる、請求項１１に記載のオーバーキャップ組立体。
【請求項１８】
容器上にオーバーキャップ組立体を載置するための方法であって、
吐出オリフィス及びノッチを備えるハウジングと、前記ハウジングから延びる第１突出部及び第２突出部を提供するステップと、
出口オリフィス及びバルブシートを有する管路を含む作動部を提供するステップであって、第１スロット及び第２スロットが前記作動部の反対側上に配置され、タブが前記作動部上に配置されるステップと、
各突出部の第１及び第２平坦面がそれぞれのスロットの第１及び第２停止面に係合可能となるようにし、実質的な垂直移動を抑制するのを補助するように、前記第１突出部及び第２突出部を各々前記第１スロット及び第２スロット内に位置させるステップと、
を含む方法。
【請求項１９】
前記オーバーキャップの吐出オリフィスと実質的に整列した前記管路の出口オリフィスを配置するステップをさらに含む、請求項１８に記載の方法。
【請求項２０】
バルブステムが前記管路のバルブシート内に載置されるように、前記オーバーキャップを容器に整合するステップをさらに含む、請求項１９に記載の方法。
【発明の詳細な説明】
【技術分野】
【０００１】
［関連出願の相互参照］
該当なし
［連邦政府による資金提供を受けた研究開発の記載］
該当なし
［配列表の参照］
該当なし
【０００２】
本発明は、一般にハウジングを含むオーバーキャップ組立体に関し、より詳しくは、ハウジングと共に使用される作動部に関する。
【背景技術】
【０００３】
加圧容器は、一般に空気清浄剤、消臭剤、殺虫剤、殺菌剤、充血緩和剤、芳香剤などのような揮発性物質を貯蔵及び吐出（ｄｉｓｐｅｎｓｅ）するために用いられる。揮発性物質は、一般に容器内に加圧状態及び液化状態で貯蔵される。製品は、炭化水素又は非炭化水素推進剤によってエアゾールバルブを介して容器から押し出される。外向きに延びるバルブステムを有する放出バルブは、容器の頂部における揮発性物質の放出を容易にするために設けられ、そのため、バルブステムを介したバルブの作動は、揮発性物質を容器からバルブステムを介して外部大気に流動するようにする。放出バルブは、典型的にバルブステムを傾けたり押したりすることによって、又は他の方式で変位させることによって作動させることができる。典型的なバルブ組立体は、バルブステム、バルブホディ、及びバルブスプリングを含む。バルブステムはペデスタル（ｐｅｄｅｓｔａｌ）を介して延び、遠位端部はペデスタルから上方に延び、近位端部はバルブホディ内に配置される。
【０００４】
加圧容器は、多くの場合、容器の上端部を覆うオーバーキャップを含む。典型的なオーバーキャップは、外向きに突出した隆起部を介して容器に取り外し可能に取り付けられ、隆起部は、オーバーキャップの内部下縁部を囲んで、容器の頂部を囲むビード（ｂｅａｄ）又はシーム（ｓｅａｍ）と相互作用する。オーバーキャップが容器の頂部に位置するとき、下向きの圧力がオーバーキャップに加えられ、この圧力は、隆起部がシームの外縁を乗り越え、シームの下面によって画定された棚（ｌｅｄｇｅ）の下にロックする。
【０００５】
典型的なオーバーキャップは、容器のバルブステムに係合するための機構を含む。一部の作動機構は、バルブステムを加圧し、容器内でバルブを開放するために下向きの圧力を加えるリンケージ（ｌｉｎｋａｇｅ）を含んでもよい。他の作動機構は、容器が傾斜活性化（ｔｉｌｔ−ａｃｔｉｖａｔｅｄ）バルブステムを有する場合、半径方向の圧力を代わりに適用してもよい。いかなる場合でも、このような作動機構は、エンドユーザに比較的便利で使いやすいインターフェースを提供する。
【０００６】
通常の作動機構は、作動ボタン又は作動トリガーを含む。従来の作動ボタンは、液体製品が通過することのできるダクトを画定する、ボタン内に位置する放出オリフィス（ｄｉｓｃｈａｒｇｅ  ｏｒｉｆｉｃｅ）を備える。ダクトは、典型的には、関連する容器のバルブステムに沿って係合するように画定される。従って、吐出が必要な場合、ユーザは作動ボタンを押すことができ、作動ボタンはバルブステムを加圧又は傾けて関連容器内でバルブを開放することによって、放出ダクトを介して放出オリフィスの外に容器の内容物を解放する。
【０００７】
他の容器では、バルブステムは、バルブステムを半径方向に作動させるために、長手方向軸を横断する方向に傾斜又は変位させる。バルブ組立体が開放されると、容器内部と大気との間の圧力差によって、容器の内容物がバルブステムのオリフィスを介して外に押し出される。
【０００８】
比較的小さなネック（ｎｅｃｋ）を有する容器と組み合わせて利用される従来技術の作動システムでは、多くの問題が発生した。特に、作動ボタンのような従来の作動部は、オーバーキャップでヒンジ式作動部の設計を用いる。しかし、さらに小さい容器ネックは、さらに小さいオーバーキャップの設置面積（ｆｏｏｔｐｒｉｎｔ）を備えるため、オーバーキャップ内のヒンジ作動部を効果的に利用することは困難である。従って、より小さい設置面積のネックを有する容器に使用するためには、効果的で、容易に組み立てられ、長手方向に変位可能なオーバーキャップ組立体が必要とされる。
【発明の概要】
【課題を解決するための手段】
【０００９】
一態様によれば、オーバーキャップ組立体は、第１スロット、タブ、及びスプレー通路を有する作動部を含む。組立体はスプレー通路と流体連通するノズルをさらに含み、組立体は非作動状態の間にタブを受容するノッチ(ｎｏｔｃｈ)と作動状態の間に第１スロットによって受容される第１突出部を備えるハウジングをさらに含む。
【００１０】
別の態様によれば、オーバーキャップ組立体は、側壁を有するハウジングを含む。吐出オリフィスが側壁内に設けられ、第１突出部が側壁から延びる。ノッチはまた、側壁内に設けられる。オーバーキャップ組立体は、作動状態の間に第１突出部を受容する第１スロットと、非作動状態の間にノッチによって受容されるタブを有する作動部をさらに含む。
【００１１】
また別の態様によれば、容器上にオーバーキャップ組立体を載置する方法は、バルブステムを有する容器を提供するステップと、吐出オリフィス及びノッチを備えるハウジングとハウジングから延びる第１突出部及び第２突出部を提供するステップとを含む。また別のステップは、出口オリフィス及びバルブシートを有する管路を含む作動部を提供するステップを含み、第１スロット及び第２スロットは作動部の反対側に配置され、タブは作動部上に配置される。この方法は、各突出部の第１及び第２平坦面が、各突出部の第１及び第２停止面に係合可能となるようにして、実質的な垂直移動を抑制するのを補助するように、第１突出部及び第２突出部を各々第１スロット及び第２スロット内に位置させるステップをさらに含む。この方法はまた、バルブステムが管路のバルブシート内に載置されるように、オーバーキャップを容器に整合するステップをさらに含む。
【図面の簡単な説明】
【００１２】
【図１】オーバーキャップ組立体を含む吐出システムの斜視図である。
【図２】オーバーキャップ組立体が結合されていない図１の吐出システムの斜視図である。
【図３】図１の線３−３に沿った図１の吐出システムの部分断面図である。
【図４】オーバーキャップ組立体の上部前方等角図である。
【図５】図４のオーバーキャップ組立体の正面図である。
【図６】図４のオーバーキャップ組立体の背面図である。
【図７】図４のオーバーキャップ組立体の右側面図である。
【図８】図４のオーバーキャップ組立体の左側面図である。
【図９】図４のオーバーキャップ組立体の上部平面図である。
【図１０】図４のオーバーキャップ組立体の底面前方斜視図である。
【図１１】図４のオーバーキャップ組立体の底面後方斜視図である。
【図１２】図９の線１２−１２に沿った作動部又はノズルを備えていないオーバーキャップ組立体の上面後方等角断面図である。
【図１３】図９の線１３−１３に沿った作動部又はノズルを備えていないオーバーキャップ組立体の上面前方等角断面図である。
【図１４】図９の線１４−１４に沿った作動部又はノズルを備えていないオーバーキャップ組立体の底面後方等角断面図である。
【図１５】図１に示された線１５−１５に沿った図１の吐出システムの部分的な断面図である。
【図１６】図４のオーバーキャップ組立体の作動部の上部前方等角図である。
【図１７】図１６の作動部の底面後方斜視図である。
【図１８】図９の線１８−１８に沿った非作動状態の図４のオーバーキャップ組立体の側断面図である。
【図１９】図９の線１９−１９に沿った作動状態の図４のオーバーキャップ組立体の側断面図である。
【図２０】図９の線２０−２０に沿った非作動状態の図４のオーバーキャップ組立体の前方断面図である。
【図２１】図９の線２１−２１に沿った作動状態の図４のオーバーキャップ組立体の前方断面図である。
【発明を実施するための形態】
【００１３】
図１は、オーバーキャップ組立体１０２及び容器１０４を含む製品吐出システム１００を示す。オーバーキャップ組立体１０２は、ハウジング１０８、作動部１１０、及びノズルインサート１１２を含む。作動部１１０は、ハウジング１０８内に少なくとも部分的に配置され、製品が吐出システム１００から容易に吐出されるようにする。使用時には、オーバーキャップ組立体１０２は、吐出システム１００のユーザによる作動部１１０の手動による起動などの特定の状態が発生するとき、容器１０４から製品を解放する。放出される製品は、キャリア液、脱臭液などの液体内に配置された芳香剤又は殺虫剤であってもよい。製品はまた、殺菌剤、空気清浄剤、清浄剤、臭気除去剤、かび又は白かび防止剤、殺虫剤、及び／又はそのようなものなど、及び／又はアロマテラピー特性を有する他の活性剤を含んでもよい。製品は、代替的に容器から吐出されてもよく、当業者に周知の任意の固体、液体、又は気体を含む。容器１０４は、二酸化炭素、ヘリウム、水素、ネオン、酸素、キセノン、亜硝酸塩、又は窒素を含む液化、非液化、又は溶解され得る圧縮ガスなどの任意のタイプの加圧又は非加圧製品を含んでもよい。容器１０４は、あるいは、アセチレン、メタン、プロパン、ブタン、イソブテン、ハロゲン化炭化水素、エーテル、液体石油ガス又は別名ＬＰＧとして知られるブタンとプロパンの混合物、及び／又はそれらの混合物を含む任意の種類の炭化水素ガスを含むことができる。従って、製品吐出システム１００は、任意の数の異なる製品を吐出するように適合される。
【００１４】
容器１０４及び／又はオーバーキャップ組立体１０２は、ポリマー、プラスチック、アルミニウムのような金属、アルミニウム合金、又は錫メッキ鋼、ガラス、セルロース系材料、積層材、リサイクル材、及び／又はこれらを組み合せた物質などの同一又は異なる物質の複数のレイヤを含む任意の物質で各々製造されてもよい。容器１０４及び／又はオーバーキャップ組立体１０２は、様々な周知のポリマー材料で形成されることができ、例えば、ポリエチレン（ＰＥ）、低密度ポリエチレン（ＬＤＰＥ）、高密度ポリエチレン（ＨＤＰＥ）、ポリエチレンテレフタレート（ＰＥＴ）、結晶質ＰＥＴ、非晶質ＰＥＴ、ポリエチレングリコールテレフタレート、ポリスチレン（ＰＳ）、ポリアミド（ＰＡ）、ポリ塩化ビニール（ＰＶＣ）、ポリカーボネート（ＰＣ）、ポリ（スチレン：アクリロニトリル）、ポリメチルメタクリレート（ＰＭＭＡ）、ポリプロピレン（ＰＰ）、ポリエチレンナフタレン（ＰＥＮ）、ポリエチレンフラノエート（ＰＥＦ）、ＰＥＴ単独重合体、ＰＥＮ共重合体、ＰＥＴ／ＰＥＮ樹脂ブレンド、ＰＥＮ単独重合体、オーバーモールド熱可塑性エラストマ（ＴＰＥ）、フルオロポリマー、ポリスルホン、ポリイミド、アセチルセルロース、及び／又はこれらの組み合わせで形成されてもよい。容器１０４は、構造的に容器１０４をより強化するとともに、容器１０４を過酷な化学物に対して耐性をもたせるように、内部及び／又は外部ライニング又はコーティングを含むことをさらに想定できる。ライニング及び／又はコーティングは、前述のポリマー材料のいずれか１つで製造されてもよく、エチレンビニルアルコール（ＥＶＯＨ）で製造されてもよい。容器１０４は、不透明、半透明、又は透明であってもよい。
【００１５】
図２に最もよく示されるように、容器１０４は、下端部１１６と、容器１０４の肩部１２０で終端する実質的に円筒状の本体１１８を含む。代替的に、容器１０４は、実質的にテーパ状の本体１１８を含む任意の他の形状の本体を含んでもよい。ネック１２２は、肩部１２０に隣接し、シーム、ビード、又は突出部１２８の下に配置される。突出部１２８は、本実施形態では丸みのある角によって画定され、オーバーキャップ組立体１０２を容器１０４に取り付けることができる位置を提供する。本開示の容器１０４は、本体１１８、肩部１２０、ネック１２２、及び／又は突出部１２８の部分に外部的又は内部的にクリンプ（ｃｒｉｍｐ）される特徴部を含む、従来のエアゾール容器であってもよい。例えば、図２に示すように、装着カップ又はクラウン１３０（ｃｒｏｗｎ）は、突出部１２８の上の容器１０４に外部的にクリンプされてもよい。突出部１２８は、内部的又は外部的にクリンプされた部分の一部である必要はなく、オーバーキャップ組立体１０２を保持及び／又は係合するのを補助するために、代替的に成形、押し出し、そうでなければ接着剤又は粘着剤によって容器１０４に追加することができる。また、突出部１２８は、クラウン１３０に超音波溶接、スピン溶接、又はレーザ溶接されてもよい。
【００１６】
さらに図２を参照すると、ネック１２２及び突出部１２８は、容器１０４の終端部１３２（ｆｉｎｉｓｈ）を形成する。終端部１３２は、概ね円形であり、クラウン１３０で終わる。容器１０４のクラウン１３０は、概ね平坦な表面１３４を含み、平坦な表面１３４は、ペデスタル１３６によって遮断される。ペデスタル１３６は、クラウン１３０の中心部分１３８から上方に延びている。従来のバルブ組立体（詳細には図示せず）は、バルブステム１４０を含み、バルブステム１４０は、容器１０４内に配置されるバルブスプリング（図示せず）及びバルブホディ（図示せず）に接続される。バルブステム１４０は、ペデスタル１３６を介して上方に延び、遠位端部１４２は、ペデスタル１３６から上方に延び、オーバーキャップ組立体１０２内に配置された作動部１１０と相互に作用する。長手方向軸Ａは、バルブステム１４０を介して延びている。
【００１７】
異なるタイプの容器１０４又はボトルが本明細書に開示されたオーバーキャップ組立体１０２と共に使用され得ることも考えられる。現在開示されているオーバーキャップ組立体１０２は、小さな設置面積を有する容器に対して特別な利点を有するが、本オーバーキャップ組立体は、他のタイプの周知の容器と共に使用することができると考えられる。さらに、このような容器は、エアゾール物質又は流体を保持するように適合された任意のタイプの容器を広く包含し、独立型容器（ｓｔａｎｄａｌｏｎｅ  ｃｏｎｔａｉｎｅｒ）及び／又はベース又は他の吐出ハウジングとしての使用に適用してもよい。
【００１８】
図３に最もよく示されるように、使用前に、作動部１１０は、バルブステム１４０の遠位端部１４２と流体連通するように配置される。ユーザは、手動又は自動的に作動部１１０を操作してバルブ組立体を開口し、これにより容器１０４の内部１４４と大気との間の圧力差を生じさせ、容器１０４の内容物を押し出して、バルブステム１４０のオリフィス１４６を通り、オーバーキャップ組立体１０２を介して大気中に放出する。
【００１９】
次に、図４〜図９を参照すると、オーバーキャップ組立体１０２がより詳細に記載されている。オーバーキャップ組立体１０２のハウジング１０８は、前方部分２００及び後方部分２０２を有するものとして画定される。ハウジング１０８は、下縁部２０８から上方に延びる下部側壁２０６を含む切頭円錐台形状の下部本体２０４を含む。図１０及び図１１に示すように、下部側壁２０６の下縁部２０８は、概ね円形であり、ハウジング１０８の下部開口２１０を画定する。下部側壁は、任意にリップ（ｌｉｐ）を含んでもよい。再び図４〜図９を参照すると、下部側壁２０６は、上向き及び内向きにテーパし、一連の肩部２１２ａ，２１２ｂを含む。肩部２１２ａ，２１２ｂは、丸い形であるが、例えば、実質的に直角を含む任意の形状を有してもよい。肩部２１２ａ，２１２ｂの間には、ハウジング１０８の上部本体２１４に下部本体２０４を接続する１つ以上の中間壁が設けられている。上部本体２１４は、上部肩部２１８に向かって内側にテーパする上部側壁２１６を含む。上部肩部２１８もまた、丸みを帯びて頂壁２２０に隣接する。頂壁２２０は、上部開口２２２を含む。頂壁２２０の前部２２４は、上部開口２２２の周りに配置され、概ね軸Ａに垂直である。頂壁２２０の後方部２２６はまた、上部開口２２２の周りに配置され、前部２２４及び上部開口２２２から下向き及び外向きに傾斜している（図６参照）。上部開口２２２は、以下でより詳細に記述されるように、作動部１１０の一部を受け入れる。ハウジング１０８は、ハウジング１０８の前方部分２００に隣接して上部側壁２１６に配置された吐出オリフィス２２８をさらに含み、これは、ハウジングを介して外側へ製品の放出を許容する。
【００２０】
図１０を参照すると、ハウジング１０８の下部開口２１０は、容器１０４の部分を受容するための下縁部２０８に隣接して位置するように示されている。図１０〜図１４に最もよく示されるように、ハウジング１０８は、ハウジング１０８の下部側壁２０６の内面３０２の周りに配置された外側に延びる複数の固定リブ３００を含む。固定リブ３００は、最も長い部分が下縁部２０８と実質的に平行になるように配向されている。複数の直線突出部３０４は、固定リブ３００の間に配置され、容器１０４に対するオーバーキャップ組立体１０２の回転を制限するように、及び／又はオーバーキャップ組立体１０２と共に使用するための異なる容器サイズの変更を可能にするように適合される。好ましい実施形態では、突出部３０４は、容器１０４のクラウン１３０の外径とのわずかなインターフェース（ｌｉｇｈｔ  ｉｎｔｅｒｆａｃｅ）を有するため、突出部３０４は、容器１０４に対するハウジング１０８の回転を制限する。突出部３０４はまた、より大きい直径（即ち、ハウジングの直径と実質的に同じ直径）を有する容器がオーバーキャップ組立体１０２のハウジング１０８内に挿入される場合、ハウジング１０８の下部側壁２０６上の圧力を緩和し得る。
【００２１】
下部側壁２０６の内面３０２は、オーバーキャップ組立体１０２の中心に向かって半径方向に内側に延びる、等間隔に離隔した複数の第２ガイドリブ３０６をさらに含む。第２ガイドリブ３０６は、互いに実質的に平行であり、固定リブ３００の下に設けられる。好ましい実施形態では、等しい数のリブ３００，３０６が設けられ、それぞれの第２ガイドリブ３０６は、対応する固定リブ３００の中央部分３０８と実質的に整列している。オーバーキャップ組立体１０２の上部側壁２１６の内面３０２はまた、オーバーキャップ組立体１０２の中心に向かって半径方向内側に延びる細長い第３安定化リブ３１２を含む。第３安定化リブ３１２は、実質的に互いに平行であり、固定リブ３００の上方に設けられる。好ましい実施形態では、第２ガイドリブ３０６が存在する数よりも、第３安定化リブ３１２は、１〜２倍存在する。図１０〜図１４を参照すると、第３安定化リブ３１２の一部は、一般に第２ガイドリブ３０６と整列し、残りの第３安定化リブ３１２は、一般に直線突出部３０４と整列する。
【００２２】
図１５に最もよく示されるように、容器１０４上にオーバーキャップ組立体１０２が配置され、容器の突出部１２８は、固定リブ３００と第３安定化リブ３１２との間に配置された環状間隙３１４にスナップフィット方式によって適切に保持される。容器１０４にオーバーキャップ組立体１０２の取り付けを助けるために、任意の数及びのサイズのリブ３００，３０６，３１２が側壁２０６，２１６の内面３０２を囲むように含まれてもよい。代替的に、当技術分野で知られているようにオーバーキャップ組立体１０２を容器１０４に固定するために、他の方法が使用されてもよい。
【００２３】
第３安定化リブ３１２はまた、オーバーキャップ組立体１０２の保持を可能にするためにオーバーキャップ組立体１０２に追加的な構造的完全性を提供してもよい。特に、第３安定化リブ３１２の底面３１６は、容器１０４の周囲のハウジング１０８の上部に加えられる力を分散させるのを補助するために、容器１０４の部分と相互に作用する。また、第３安定化リブ３１２は、キャッピング工程の間及び／又は後で、オーバーキャップ組立体１０２を適所に整列及び配置するのを助け、組立体１０２のトップロード（ｔｏｐ−ｌｏａｄ）及び落下性能（ｄｒｏｐ  ｐｅｒｆｏｒｍａｎｃｅ）を増加させることができる。このような整列補助は、作動部１１０がバルブステム１４０上に正確に位置決めするように保障する。
【００２４】
図１２〜図１４を参照すると、内壁３１８は、上部開口２２２を画定するのを助けるハウジング１０８の頂壁２２０に隣接するように設けられる。ハウジング１０８の内壁３１８及び上部側壁２１６は、吐出オリフィス２２８によってハウジング１０８の前方部分２００で遮断される。吐出オリフィス２２８は、上部側壁２１６内の開口部３２０及び内壁３１８内のホール３２２によって画定される。図示した実施形態では、上部側壁２１６の開口部３２０はレーストラック形状であり、内壁３１８のホール３２２は切頭状のレーストラック形状である。しかし、開口部３２０及びホール３２２の両方は、楕円形、正方形、三角形、長方形、円形、又は他の任意の形状のような他の形状又は切頭形状を有してもよい。内壁３１８のホール３２２の上端部３２４は、後述するように作動部１１０の好ましくない上方への垂直移動又は回転を防止するための停止部として機能する。開口部３２０及びホール３２２の形状は、ハウジング１０８の所望する機能に応じて、類似していてもよく、異なっていてもよい。
【００２５】
図１３及び図１４にさらに示されるように、ハウジング１０８の内壁３１８は、複数の第３支持リブ３１２の一部に取り付けられている。図１５に示すように、内壁３１８は、ハウジング１０８の後方部分２０２に沿って配置されたノッチ３２６をさらに含む。ノッチ３２６は、内壁３１８内に形成された切り欠き（ｃｕｔｏｕｔ）であってもよく、ノッチ３２６は、内壁３１８及び１つ以上の安定化リブ３１２の１つ以上の表面の組み合わせによって画定されてもよい。図示した実施形態では、ノッチ３２６は、内壁３１８の下壁縁部３２８及び２つの安定化リブ３１２によって画定される。ノッチ３２６は、ホール３２２と関連して上述したような作動部１１０の好ましくない上方への垂直移動又は回転を防止するための停止部として作動し、以下にてより詳細に説明される。再び図１３及び図１４を参照すると、内壁３１８の下壁縁部３２８は、一般に内壁３１８の下部境界を形成する。下壁縁部３２８は、内壁３１８の好ましい構造的特性及びハウジング１０８を形成するのに使用される所望量の材料によって角度が付けられてもよく、一般に水平であってもよい。
【００２６】
さらに図１３及び図１４を参照すると、２つの類似の形状の細長いフランジ３３０ａ，３３０ｂがハウジング１０８の内壁３１８から下方に延びている（３３０ｂについては図２０及び図２１参照）。フランジ３３０ａ，３３０ｂは、第１端部３３２において内壁３１８に取り付けられている。フランジ３３０ａ，３３０ｂの第２端部３３４は、内壁３１８から離間している。好ましい実施形態では、フランジ３３０ａ，３３０ｂの第１端部３３２は、ハウジング１０８の前方部分２００及び後方部分２０２が交差する内壁３１８に接続される。フランジ３３０ａ，３３０ｂは、下方に延びており、特定の例示的な実施形態では、オーバーキャップ組立体１０２の中心に向かってわずかに内側に延びている。フランジ３３０ａ，３３０ｂは、各々突出部３３６ａ，３３６ｂを備える。突出部３３６ａ，３３６ｂは、フランジ３３０ａ，３３０ｂの第２端部３３４に配置され、オーバーキャップ組立体１０２の中心に向かって内側に突出する。
【００２７】
突出部３３６ａ，３３６ｂは、頂面３３８、側面３４０、傾斜面３４２、及び底面３４４を含む。突出部３３６ａ，３３６ｂの頂面３３８は、概ね平面であり、ハウジング１０８の頂壁２２０の前部２２４と平行する。突出部３３６ａ，３３６ｂの頂面３３８は、フランジ３３０ａ，３３０ｂの停止面３４６と交差し、オーバーキャップ組立体１０２が作動状態にあるときに作動部１１０を受容するように形成されており、以下に詳しく説明される。頂面３３８は、頂面３３８にほぼ垂直な側面３４０と交差する。側面３４０は、傾斜面３４２と交差する。傾斜面３４２は、突出部３３６ａ，３３６ｂの底面と交差するようにオーバーキャップ組立体１０２の中心から下向き及び外向きに延びる。フランジ３３０ａ，３３０ｂの後面３４８（図２０及び図２１参照）は、突出部３３６ａ，３３６ｂの底面３４４から内壁３１８の内側３５０まで上方に延びる。内壁３１８の内側３５０は、ハウジング１０８の頂壁２２０の下側３５２と交差するように上方に延びる。フランジ３３０ａ，３３０ｂの面３４６，３４８及び突出部３３６ａ，３３６ｂの面３３８，３４０，３４２，３４４は、代替の構成を有してもよく、突出部３３６ａ，３３６ｂ及びフランジ３３０ａ，３３０ｂから完全に除外されてもよい。
【００２８】
図２０に示すように、間隙３５４は、フランジ３３０ａ，３３０ｂのそれぞれの後面３４８と上部側壁２１６の内面３０２との間に形成される。間隙３５４は、オーバーキャップ組立体１０２の組立中及び作動工程中の両方において、フランジ３３０ａ，３３０ｂが撓んでヒンジとして作用することを可能にする。間隙３５４の最小幅は、好ましくは少なくとも約０．２ｍｍである。特定の例示的な実施形態では、間隙３５４の好ましい範囲は、約０．２ｍｍ〜約８ｍｍ、より好ましくは約０．８ｍｍ〜約５ｍｍ、最も好ましくは約１ｍｍである。間隙３５４の間隔は、本明細書で説明したようにガイド機能を依然として提供し、フランジ３３０ａ，３３０ｂの適切な撓みを許容するように特に寸法決めされる。間隙３５４のサイズは、本明細書に記載の利点が実現されるように、適切なサイズに調整され得る。容器サイズ、オーバーキャップのサイズ、吐出される製品のタイプ、作動部のサイズ、構成要素の製造物質など、様々な製造上の考慮事項を考慮に入れることができる。
【００２９】
好ましい実施形態では、容器１０４のネック１２２は、約１７ｍｍ〜約４０ｍｍ、又は約２５ｍｍ〜約３５ｍｍ、又は約２９ｍｍの直径を有する。また、突出部１２８の最も外側の縁は、好ましくは、軸Ａを介して約２０ｍｍ〜約４０ｍｍ、又は約２５ｍｍ〜約３５ｍｍ、又は約３３ｍｍの直径を有する。また、クラウン１３０は、好ましくは約２０ｍｍ〜約４０ｍｍ、又は約２５ｍｍ〜３５ｍｍ、又は約３３ｍｍの直径を有する。また他の実施形態では、バルブステム１４０は、容器１０４の平面の表面１３４から（又はバルブステムが延びるペデスタルの上端部から）バルブステム１４０の遠位端部１４２に向かって、約５．０ｍｍ〜約８．５ｍｍ、又は約５．４９ｍｍ〜約８．１５ｍｍ、又は約７．０ｍｍの高さを有する。さらに、許容可能な製造公差又は容器の使用に対するバルブステム高さの変化によってバルブステム高さに変動があり得、例えば、圧縮ガスを有する容器は、その寿命期間においてバルブステム高さが約１ｍｍ減少する。また、バルブステム高さの変動は、従来のヒンジシステムに問題を引き起こし、それにより、本発明のオーバーキャップソリューションが有利であるというさらなる理由が提供される。
【００３０】
図１６〜図２１を参照すると、作動部１１０は、オーバーキャップ組立体１０２に関連する上述の材料のうちの任意の１つから製造され得るボタン４００を含む。ボタン４００は、垂直管路４０２（図１８〜図２１参照）及び水平管路４０４（図１８及び図１９参照）を含む。管路４０２，４０４は、同様に、オーバーキャップ組立体１０２と関連する前述した材料のうちの任意の１つで製造されてもよい。ボタン４００は、垂直管路４０２及び水平管路４０４と一体である。水平管路４０４は、接合部４０６で垂直管路４０２と流体連通する（図１８及び図１９参照）。垂直管路４０２は、吐出システム１００の使用中に容器１０４のバルブステム１４０と流体連通する。垂直管路４０２は、容器１０４のバルブステム１４０を受容するための大きさの入口オリフィス４０８を含む。
【００３１】
さらに、図１６〜図２１を参照すると、ボタン４００及び／又は管路４０２，４０４は、同一の材料で製造されてもよく、異なる材料で製造されてもよい。例えば、１つの特定の実施形態において、管路４０２，４０４が同一の材料で形成されることも考慮され得るが、管路４０２，４０４のうちの一方又は両方の１つ以上の部分が管路の柔軟性を変更するために、異なる物質で形成できる点もまた考慮され得る。管路４０２，４０４の他の部分は、異なる物質で形成されてもよく、同一の物質で形成されてもよい。作動部１１０の垂直作動中に、管路４０２，４０４のうちの一方又は両方が撓みを有していないか、又はある程度の撓みを有することが好ましいことがある。代替的に、管路４０２，４０４のより広範囲の動きを可能にするより大きな容器の設置面積を有するという観点から、ある程度の撓みを有することが望ましい場合がある。撓みは、管路４０２，４０４の一方又は両方に使用される物質の結果であってもよく、撓みは、同一の物質が使用されるために同一であってもよく、又は使用される物質が異なる、又は管路４０２，４０４を構成する物質の厚さが異なる、又は管路４０２，４０４の交差点に位置する薄いヒンジ部分の可能性によって異なってもよい。入口オリフィス４０８は、流体が管路４０２，４０４を介してノズル出口又は放出管路４１２まで延びる通路４１０を通過することを可能にする（図１８及び図１９参照）。放出管路４１２は、環状に構成され、ポストのような外側部分４１４及び内側部分４１６を含む。放出管路４１２は、ノズルインサート１１２を適合するように受容する。ノズルインサート１１２は、当業者に周知の複数の構成で形成されてもよい。ノズルインサート１１２は、放出流体を、用途に適したスプレーパターン及び粒子サイズのミストに分解することを補助するために、任意の数のチャネル、リブ、又は、その他の構造を備えてもよい。
【００３２】
また、ノズルインサート１１２は、１つ以上の下流凹部と流体連通する流体放出を補助する渦流室を含んでもよい。また、ノズルインサート１１２は、１つ以上の特性を流体に付与してもよい。このような特性は、流体の粒子サイズ、流体のスプレーパターン、流体の速度、流体の放出速度、又は、流体の任意の他の物理的又は化学的特性の変更を含むが、これらに限定されることはない。使用時、流体は、通路４１０から放出管路４１２に流れる。その後、流体は、放出管路の環状通路に進入し、ノズルインサート１１２の出口端部４２４に配置された出口又は出口オリフィス４２２を介して放出される。他の実施形態では、出口オリフィス４２２は、ノズルインサート１１２上に配置されず、むしろ、出口オリフィス４２２は、作動部１１０の一部である。出口オリフィス４２２は、一般に円形の形状であるが、任意の他の幾何学的形状であってもよい。当技術分野で知られているように、様々な異なる構成要素が通路４１０又はノズルインサート１１２に任意に含まれて流体に影響を及ぼすことができる。
【００３３】
図１６及び図１７を参照すると、作動部１１０は、丸みのある角４３０でボタン４００と交差する外壁４２８を含む。作動部１１０の外壁４２８は、作動部１１０の周辺を囲み、その前方端部４３２でノズル管路４１２と交差する。外壁４２８は、下縁部４３４を含む。作動部１１０は、その前方端部４３２の反対側に位置する後方端部４３６をさらに含む。タブ４３８は、作動部の後方端部４３６において作動部１１０の下縁部４３４から外方に突出している。タブ４３８は、一般に作動部１１０の外壁４２８に垂直である。タブ４３８は、後述するように作動部１１０の上方への垂直移動を防止するように、ハウジング１０８のノッチ３２６によって受容されるように形成される。オーバーキャップ組立体１０２が組み立てられると、タブ４３８は、隣接する安定化リブ３１２によって両側に境界が定められ、これはハウジング１０４の作動部１１０の回転運動を制限する。タブ４３８は、１つの単一部品（ｐｉｅｃｅ）であってもよく、複数の部品であってもよい。タブ４３８は、作動部１１０の外壁４２８の下縁部４３４に沿った任意の点に、又は他の実施形態では、下縁部４３４から遠い点に配置されてもよい。また、タブ４３８は、作動部１１０から分離可能な別の部品であってもよい。
【００３４】
好ましい実施形態では、ボタン４００の直径は、約５ｍｍ〜約５０ｍｍ、又は約１０ｍｍ〜約４０ｍｍ、又は約１５ｍｍ〜約３５ｍｍ、又は約２０ｍｍである。ハウジング１０８の下縁部２０８からハウジング１０８の頂壁２２０の前部２２４まで測定されたハウジング１０８の高さは、約４６ｍｍ、又は約２５ｍｍ〜約７０ｍｍである。ハウジング１０８の下縁部２０８の直径は、好ましくは約４０ｍｍ、又は約４０ｍｍ〜約７０ｍｍである。
【００３５】
さらに、図１６及び図１７を参照すると、作動部１１０は、ノズルインサート１１２又はハウジング１０８なしで示されている。作動部１１０は、作動部１１０の左側部分４４２及び右側部分４４４上に各々位置する左側スロット４４０ａ（図２０又は図２１に示す）及び右側スロット４４０ｂを含む。スロット４４０ａ，４４０ｂは、前方ガイド面４４８、側方ガイド面４４８、後方ガイド面４５０及び停止面４５２によって画定される。側方ガイド面４４８は、一般に作動部１１０の外壁４２８と平行であるが、作動部１１０の外壁４２８からオフセットしている。前方ガイド面４４６、停止面４５２及び後方ガイド面４５０は、側方ガイド面４４８からほぼ垂直に外側に延びている。オーバーキャップ組立体１０２の使用中に、前方ガイド面４４６は、ハウジング１０８の前方部分２００の方向に配置され、後方ガイド面４５０は、ハウジング１０８の後方部分２０２の方向に配置される。スロット４４０ａ，４４０ｂは、一般にハウジング１０８の突出部３３６ａ，３３６ｂを受容するように形成され、作動部１１０の軸Ａに対する実質的に下方に垂直移動及び回転を防止する。具体的には、スロット４４０ａ，４４０ｂの停止面４５２は、停止部として作用し、突出部３３６ａ，３３６ｂの頂面３３８とそれぞれ係合し、以下詳しく説明するように、作動状態の間に作動部１１０の不注意な下方への垂直移動を防止する。軸Ａに対する作動部１１０の実質的な回転を防止するために、作動部１１０のスロット４４０ａ，４４０ｂの前方ガイド面４４６は、ハウジング１０８の突出部３３６ａ，３３６ｂの前面４５４（図１３参照）と係合し、作動部１１０のスロット４４０ａ，４４０ｂの後方ガイド面４５０は、ハウジング１０８の突出部３３６ａ，３３６ｂの背面４５６（図１４参照）と係合する。
【００３６】
オーバーキャップ組立体１０２を動作可能な状態にするために、作動部１１０は、ハウジング１０８のノッチ３２６と整列する作動部１１０のタブ４３８とハウジング１０８の下部開口２１０を介してスライドし、作動部１１０のスロット４４０ａ，４４０ｂは、突出部３３６ａ，３３６ｂに各々整列する。整列後、作動部１１０は上方に押され、作動部１１０の丸みのある角４３０はハウジング１０８の突出部３３６ａ，３３６ｂの傾斜面３４２と係合する。作動部１１０が突出部３３６ａ，３３６ｂの傾斜面３４２に押し付けられることにより、突出部３３６ａ，３３６ｂは作動部１１０が図２１に示すようになるまで、オーバーキャップ組立体１０２の中心から遠ざかるように外側に押し出され、ハウジング１０８の突出部３３６ａ，３３６ｂは、作動部１１０のスロット４４０ａ，４４０ｂ内に配置される。作動部１１０をハウジング１０８に係合させた後、放出管路４１２は、ハウジング１０８のレーストラック形状の開口部３２０の中心に位置合わせする。放出管路４１２がそのように配置されると、ノズルインサート１１２は、放出管路４１２内に嵌合する。オーバーキャップ組立体１０２内の作動部１１０の固定は、容器１０４がオーバーキャップ組立体１０２に整合するようにし、組立工程の間に適切な整列を提供し、作動部１１０又はバルブステム１４０の位置ずれ又は破損の可能性を低減し、キャッピング操作中の偶発的な作動を防止する。
【００３７】
組み立てられたオーバーキャップ組立体１０２は、その後、上述したのと同様の方式で容器１０４上に載置して保持され、即ち、ハウジング１０８のリブ３００，３０６，３１２は、容器１０４の突出部１２８と相互作用して、オーバーキャップ組立体１０２を容器１０４にスナップフィット方式によって固定される。この状態では、作動部１１０のボタン４００は、ハウジング１０８を介して上方に延び、ハウジング１０８の頂壁２２０に配置された上部開口２２２を介して外に出る。適切に載置されると、ボタン４００は、上部開口２２２を介して上方に延び、ユーザが作動工程を達成するために圧力を加えることができる表面を形成する。さらに、この状態では、容器１０４のバルブステム１４０は、入口オリフィス４０８内に載置され、入口オリフィス４０８及びバルブステム１４０を画定する表面は、それらの間に実質的に流体に密なシールを提供する。バルブステム１４０、リブ３００，３０６，３１２及び作動部１１０の寸法及び位置は、垂直管路４０２とバルブステム１４０との間の適切な流体シールを保持し、作動部１１０が吐出オリフィス２２８との位置ずれを防止する。従来のオーバーキャップ構造では、製造公差が変化すると、典型的にオーバーキャップ組立体の欠陥が生じ、先に述べた構成要素の整列は、構成要素の破損、容器の早期放出、又は不適切なスプレー角を引き起こした。例えば、従来のオーバーキャップのバルブステムは、オーバーキャップが設計された高さより大きい構成要素で製造された場合、容器上にオーバーキャップを載置すると、バルブステム又は作動部が破損したり、容器の内容物が偶発的に放出されたりし、又は、吐出オリフィスの位置ずれが発生して、不適切な角度でスプレーされたり、オーバーキャップ自体の中にスプレーされたりすることがある。
【００３８】
作動部１１０がハウジング１０８内に挿入されてその内部に保持されるとき、様々な利点が吐出システム１００によって実現される。特に、ハウジング１０８内の作動部１１０の固定は、ボタン４００をハウジング１０８の頂壁２２０の前方部分２００の下に配置するようにし、ユーザによるボタンの持ち上げを実質的に防止する。また、作動部１１０は、浮動式作動部として動作するため、オーバーキャップ組立体１０２のセットアップは、広範囲のバルブステム高さを補完し、それにより、広範囲のボトル又は容器をオーバーキャップ組立体１０２と共に使用することを可能にする。
【００３９】
使用時には、流体は作動部１１０に力を加えることによって吐出システム１００からスプレーされる。力は、作動部１１０を垂直方向に移動させ、入口オリフィス４０８を非作動位置から作動位置に移動するようにする。好ましい実施形態では、作動部１１０は、非作動位置から作動位置まで約０．５ｍｍ〜約１０ｍｍ、又は、約１ｍｍ〜約８ｍｍの間で移動する。作動部１１０から力が除去されると、入口オリフィス４０８は、非作動位置に戻る。作動部１１０は、容器１０４内のバルブ組立体を閉鎖するために、バルブスプリングによって上方に移動するバルブステム１４０の力によって非作動位置に移動する。
【００４０】
図１８〜図２１を参照すると、オーバーキャップ組立体１０２は、非作動状態（図１８及び図２０参照）及び作動状態（図１９及び図２１参照）の断面として示されている。図１９及び図２１に示されたオーバーキャップ組立体１０２は、完全に作動した状態として示されている。しかし、容器及び／又はバルブステム、及びそれに伴うバルブ組立体の許容誤差又は特定の特性に応じて、図１８及び図２０（非作動）及び図１９及び図２１（完全に作動）に示された２つの位置の間で、ある程度作動部を下方へ加圧することによって、スプレーが完全に又は部分的に実行することも可能である。しかし、作動部１１０とハウジング１０８の機能及び相互作用を説明する目的において、「作動状態」という用語は、図１９及び図２１に示したオーバーキャップ組立体１０２と関連して、実際にオーバーキャップ組立体１０２が完全に作動状態した状態を示す。
【００４１】
図１８及び図１９に示した断面図を参照すると、吐出システム１００の作動部１１０のボタン４００に力を加えると、作動部１１０が非作動状態（図１８）から作動状態（図１９）に移動する。作動部１１０が非作動状態から移動されると、作動部１１０の出口オリフィス４２４は、第１位置から第２位置に移動する。図１８に示すように、オーバーキャップ組立体１０２が非作動状態にあるとき、放出管路４１２の部分は、ハウジング１０８の内壁３１８のホール３２２を画定する表面と接触又は係合する。また、作動部１１０のタブ４３８は、ハウジング１０８の内壁３１８のノッチ３２６を画定する表面と接触又は係合する。ユーザが作動部１１０のボタン４００を押して作動部１１０を非作動状態から作動状態に移動するときまで、作動部１１０は、バルブスプリング（図示せず）の力によって非作動状態を保つ。
【００４２】
ここで図１９を参照すると、作動状態で垂直下方に移動した作動部１１０が示されている。作動部１１０が非作動状態から作動状態に移動する間に、ノズルインサート１１２の出口オリフィス４２４は、ハウジング１０８のレーストラック形状の開口部３２０と実質的に整列するように配置される。非作動状態及び作動状態の間で、容器１０４のバルブステム１４０と入口オリフィス４０８との間に実質的に流体に密な接続が保たれる。図１９に示すように、作動部１１０が作動状態に押し下げられると、放出管路４１２は、それ以上ハウジング１０８の内壁３１８のホール３２２を画定する表面と接触又は係合しない。また、タブ４３８は、それ以上ノッチ３２６を画定する表面と接触又は係合しない。ユーザが作動部１１０のボタン４００を解放して作動状態（図１９）から非作動状態１８に作動部１１０の垂直移動を許容するまで、作動部１１０は、ユーザの下向きの力によって作動状態を保つ。
【００４３】
次に、図２０及び図２１を参照すると、オーバーキャップ組立体１０２の前方断面図が示され、オーバーキャップ組立体１０２は、図２０で非作動状態、図２１で作動状態が示されている。図２０に示すように、オーバーキャップ組立体１０２が非作動状態にあるとき、作動部１１０のスロット４４０ａ，４４０ｂの停止面４５２（図１７参照）と、ハウジング１０８の突出部３３６ａ，３３６ｂの頂面３３８（図１３参照）との間に設置面積４５８が形成される。上述したように、放出管路４１２がホール３２２の上端部３２４を画定する表面と係合し、作動部１１０のタブ４３８がノッチ３２６を画定する表面と係合することによって、作動部は非作動状態に保たれる。また、上述したように、ユーザが作動部１１０のボタン４００を押し下げて作動部１１０を非作動状態から作動状態に移動させる時まで、作動部１１０は非作動状態に保たれる。
【００４４】
ここで図２１を参照すると、作動状態で垂直下方に移動した作動部１１０が示されている。作動部１１０が非作動状態から作動状態に移動する間に、ハウジング１０８の突出部３３６ａ，３３６ｂは、作動部１１０のスロット４４０ａ，４４０ｂの前方ガイド面４４６と後方ガイド面４５０との間に実質的に保たれる。図２１に示すように、作動部１１０が作動状態に押し下げられると、作動部１１０のスロット４４０ａ，４４０ｂの停止面４５２と突出部３３６ａ，３３６ｂの頂面３３８とが係合する。スロット４４０ａ，４４０ｂの停止面４５２（図１７参照）と、突出部３３６ａ，３３６ｂの頂面３３８（図１３参照）との係合は、作動部１１０の好ましくない下方への垂直移動を防止する。ユーザが作動部１１０のボタン４００を解放して、作動部１１０を作動状態（図２１）から非作動状態（図２０）に戻るのを許可するまで、作動部１１０は作動状態に保たれる。
【００４５】
上述したように、相対的に小さい設置面積を有する容器は、内部に配置された作動機構、例えばヒンジ及び他の回転式機構により作動のためのより大きい範囲の移動を必要とする先行技術のオーバーキャップ組立体と互換性がない。実際に、そのような容器のより小さい設置面積、例えばより小さい容器のネックは、ネックの周辺境界を越えて延長できず、このような設置面積におけるヒンジ又は回転式機構の利用を排除する。本明細書に開示されたシステムは、ユーザによる力が加えられたときに、オーバーキャップ組立体を作動させるために利用可能な限られた構成要素によって、４０ｍｍ以下のネック直径を有する容器に最適である。本明細書に開示されたオーバーキャップ組立体は、比較的小さいネックを有する容器、即ち４０ｍｍ以下のネック直径を有する容器と共に使用するように設計されているため、比較的に限定された範囲の作動角度が可能である。しかし、本明細書に開示されたオーバーキャップ組立体１０２は、非垂直バルブ組立体を有する容器又は作動のための角運動を必要とするバルブステムを有する容器と整合し得ることが考慮される。また、本オーバーキャップ組立体の教示は、より小さい設置面積を有する容器に特に有益であるが、本実施形態は、任意のサイズの容器と共に使用することができる。
【００４６】
本明細書で説明された実施形態は、いずれも異なる実施形態と関連して開示された任意の構造又は方法論を含むように変形され得る。さらに、本開示は、具体的に示される形態のエアゾール容器に限定されない。また、本明細書に開示された実施形態のいずれかのオーバーキャップは、任意のタイプのエアゾール又は非エアゾール容器と共に作動するように変形されてもよい。
【産業上利用の可能性】
【００４７】
前述の説明を考慮することにより、本発明に対する複数の変更は当業者に明らかであろう。従って、これらの説明は単なる例示に過ぎないと解釈されるべきであり、当業者が本発明を実施し使用することを可能にし、同じことを実施する最良のモードを教示するために提示される。添付の特許請求の範囲の範囲に含まれる全ての変更に対する排他的権利は留保される。
【図１】
2019506341.tif 000003
【図２】
2019506341.tif 000004
【図３】
2019506341.tif 000005
【図４】
2019506341.tif 000006
【図５】
2019506341.tif 000007
【図６】
2019506341.tif 000008
【図７】
2019506341.tif 000009
【図８】
2019506341.tif 000010
【図９】
2019506341.tif 000011
【図１０】
2019506341.tif 000012
【図１１】
2019506341.tif 000013
【図１２】
2019506341.tif 000014
【図１３】
2019506341.tif 000015
【図１４】
2019506341.tif 000016
【図１５】
2019506341.tif 000017
【図１６】
2019506341.tif 000018
【図１７】
2019506341.tif 000019
【図１８】
2019506341.tif 000020
【図１９】
2019506341.tif 000021
【図２０】
2019506341.tif 000022
【図２１】
2019506341.tif 000023
【国際調査報告】
2019506341.tif 000024
2019506341.tif 000025
2019506341.tif 000026